(57)【要約】【課題】従来の栽培施設では、苺苗等を育苗する育苗装置や育苗場所を特別に設けなければならず、効率的な作物の栽培と謂う点において課題があった。【解決手段】栽培部４を支持する架台３を複数個並列して設け、各架台３の長手方向に沿ってワイヤ１３のワイヤ案内部１４を有するガイド部材７を設け、該ガイド部材７の両端部位置にワイヤ１３のガイド部１７・２３を設け、該両ガイド部１７・２３に案内されるワイヤ１３を移動させる駆動機構Ａを設けると共に、並列して設けた架台３の各ガイド部材７上のワイヤ１３に載置するトレイ支持部材２７を備えた栽培装置。【選択図】図１
2008237052.tif 000002
【特許請求の範囲】
【請求項１】
栽培部４を支持する架台３を複数個並列して設け、各架台３の長手方向に沿ってワイヤ１３のワイヤ案内部１４を有するガイド部材７を設け、該ガイド部材７の両端部位置にワイヤ１３のガイド部１７・２３を設け、該両ガイド部１７・２３に案内されるワイヤ１３を移動させる駆動機構Ａを設けると共に、並列して設けた架台３の各ガイド部材７上のワイヤ１３に載置するトレイ支持部材２７を備えたことを特徴とする栽培装置。
【請求項２】
ガイド部材７の両端部位置に設けたガイド部をプーリ１７・２３で構成してワイヤ１３を両プーリ１７・２３間に巻き掛けて設け、該両プーリ１７・２３を各々プーリ架台１５・２１に載置し、該各プーリ架台１５・２１をガイド部材７又は架台３の両端部に各々固定自在に設けたことを特徴とする請求項１記載の栽培装置。
【請求項３】
駆動機構Ａを並列して設けた各架台３の長手方向に沿った各ワイヤ１３を連結するワイヤ固定具２８と該ワイヤ固定具２８にウインチワイヤ３２が連結された電動ウインチ１９とで構成したことを特徴とする請求項１または請求項２記載の栽培装置。
【請求項４】
トレイ支持部材２７を育苗トレイＴの隣接するポットＰ外側部間に嵌まるパイプにて構成したことを特徴とする請求項１乃至請求項３記載の栽培装置。
【発明の詳細な説明】
【技術分野】
【０００１】
本発明は、苺等の作物を栽培する栽培装置に関するものである。
【背景技術】
【０００２】
苺の栽培施設で、苺苗の育苗スペースの効率化の為に、多段に水耕用ベッドを設けて、親株のランナーから子株を順次発生させて子株を多段の水耕用ベッドに植えて苺苗を育苗するものがある。
【特許文献１】特開平１０−５２１７１号公報
【発明の開示】
【発明が解決しようとする課題】
【０００３】
然しながら、従来例の栽培施設では、苺苗等を育苗する育苗装置や育苗場所を特別に設けなければならず、効率的な作物の栽培と謂う点において課題があった。
【課題を解決するための手段】
【０００４】
請求項１記載の発明は、栽培部４を支持する架台３を複数個並列して設け、各架台３の長手方向に沿ってワイヤ１３のワイヤ案内部１４を有するガイド部材７を設け、該ガイド部材７の両端部位置にワイヤ１３のガイド部１７・２３を設け、該両ガイド部１７・２３に案内されるワイヤ１３を移動させる駆動機構Ａを設けると共に、並列して設けた架台３の各ガイド部材７上のワイヤ１３に載置するトレイ支持部材２７を備えた栽培装置としたものである。
【０００５】
従って、この栽培装置にて作物を栽培する場合、架台３で支持した栽培部４に苺等の果物や野菜等の栽培する作物苗を植えて、栽培する。
そして、作物の苗を育苗する場合、作業者は、栽培装置の一側に位置して、各育苗ポットＰに苗を植えた育苗トレイＴをトレイ支持部材２７にて支持した状態で、トレイ支持部材２７を並列して設けた架台３の各ガイド部材７上のワイヤ１３に載置する。そして、駆動機構Ａにて両ガイド部１７・２３にて案内されるワイヤ１３を移動させて、トレイ支持部材２７にて支持した育苗トレイＴを栽培装置の他側に向けて移動させる。次に、育苗トレイＴが栽培装置の他側に向けて移動したスペース部に同様に各育苗ポットＰに苗を植えた育苗トレイＴをトレイ支持部材２７にて支持した状態で載置する。この作業を繰り返して行って、並列して設けた架台３のガイド部材７上全面にトレイ支持部材２７にて支持した育苗トレイＴを載置する。
【０００６】
このように、並列して設けた架台３の各ガイド部材７の一側端部にて、順次育苗トレイＴをガイド部材７の上全面に載置する作業が、楽に然も効率よく且つ作業性良く行なえる。
【０００７】
そして、潅水や防除作業等の育苗作業をして、育苗トレイＴの苗を育苗する。
苗の育苗が完了すると、作業者は、栽培装置の一側に位置して、一番外側の育苗トレイＴを取り出す。一番外側の育苗トレイＴを取り終えると、駆動機構Ａにて両ガイド部１７・２３に案内されるワイヤ１３を移動させて、トレイ支持部材２７にて支持した育苗トレイＴを作業者の前まで移動させる。そして、作業者は一番外側の育苗トレイＴを取り出す。この作業を繰り返して行って、並列して設けた架台３のガイド部材７上全面に載置されたトレイ支持部材２７にて支持した育苗トレイＴを順次取り出す。
【０００８】
このように、並列して設けた架台３の各ガイド部材７の一側端部にて、順次育苗トレイＴをガイド部材７上から取り出す作業が、楽に然も効率よく且つ作業性良く行なえる。
この取り出した育苗トレイＴの苗は、他の栽培装置に植えて作物を栽培すると共に、育苗に用いた栽培装置にも苗を植えて栽培作業をする。
【０００９】
請求項２記載の発明は、ガイド部材７の両端部位置に設けたガイド部をプーリ１７・２３で構成してワイヤ１３を両プーリ１７・２３間に巻き掛けて設け、該両プーリ１７・２３を各々プーリ架台１５・２１に載置し、該各プーリ架台１５・２１をガイド部材７又は架台３の両端部に各々固定自在に設けた請求項１記載の栽培装置としたものである。
【００１０】
従って、栽培装置にて作物の栽培や苗の育苗をする場合、ガイド部材７又は架台３の両端部から各プーリ架台１５・２１を外して、各プーリ架台１５・２１を他の場所に移動させておけば、栽培作業時や育苗作業時に各プーリ架台１５・２１が無いので、各種作業（苗の管理作業や収穫作業等の栽培作業、潅水作業や防除作業等の育苗作業）が容易に行なえて作業性良く栽培及び育苗が行える。
【００１１】
また、並列して設けた架台３のガイド部材７上全面に育苗トレイＴを載置する作業時や育苗トレイＴを取り出す作業時には、ガイド部材７又は架台３の両端部に各プーリ架台１５・２１を固定することによって、並列して設けた架台３と各プーリ架台１５・２１とが一体構成となって、強固な立体構成となり、駆動機構Ａにてワイヤ１３を回動させる時に栽培装置が倒れるような事態を防止できる。
【００１２】
更に、各プーリ架台１５・２１をガイド部材７又は架台３の両端部に各々固定自在に設けることによって、多数の架台３が並列された大型の栽培施設では、育苗トレイＴを載置する作業時や育苗トレイＴを取り出す作業時に、先ず、一組の並列した架台３の両端部に各プーリ架台１５・２１を固定して育苗トレイＴを載置する作業や育苗トレイＴを取り出す作業を行い、次に、その一組の並列した架台３の両端部から各プーリ架台１５・２１を外して、隣の一組の並列した架台３の両端部に各プーリ架台１５・２１を固定して育苗トレイＴを載置する作業や育苗トレイＴを取り出す作業を行って、順次、この作業を繰り返すことで、一つの各プーリ架台１５・２１にて、大型の栽培施設全体の多数の架台３上に育苗トレイＴを載置する作業や育苗トレイＴを取り出す作業が行えて、設備のコスト低減が図れる。
【００１３】
請求項３記載の発明は、駆動機構Ａを並列して設けた各架台３の長手方向に沿った各ワイヤ１３を連結するワイヤ固定具２８と該ワイヤ固定具２８にウインチワイヤ３２が連結された電動ウインチ１９とで構成した請求項１または請求項２記載の栽培装置としたものである。
【００１４】
従って、電動ウインチ１９で各ワイヤ１３を引いて、各ワイヤ１３を回動させることができ、駆動機構Ａが簡潔に構成できて故障等が少なく、作業性が良い。
請求項４記載の発明は、トレイ支持部材２７を育苗トレイＴの隣接するポットＰ外側部間に嵌まるパイプにて構成した請求項１乃至請求項３記載の栽培装置としたものである。
【００１５】
従って、一般的なパイプにてトレイ支持部材２７を構成したので、トレイ支持部材２７が安価で且つ破損の恐れが少ないものとなり、故障等が少なくて、且つ、設備のコスト低減が図れる。
【発明の効果】
【００１６】
本発明の栽培装置によれば、架台３で支持した栽培部４に苺等の果物や野菜等の栽培する作物苗を植えて栽培することができる。また、並列して設けた各架台３の長手方向に沿ってワイヤ１３のワイヤ案内部１４を有するガイド部材７を設け、該ガイド部材７の両端部位置にワイヤ１３のガイド部１７・２３を設け、該ガイド部１７・２３に案内されるワイヤ１３を移動させる駆動機構Ａを設けると共に、並列して設けた架台３の各ガイド部材７上のワイヤ１３に載置するトレイ支持部材２７を備えたので、栽培装置の上面で育苗トレイＴを用いた苗の育苗作業が行える。従って、効率的な作物の栽培が行えて従来の課題を解消することができる。
【発明を実施するための最良の形態】
【００１７】
本発明の一実施の形態を図面に基づいて、詳細に説明する。
養液栽培ハウス1内に、養液栽培装置２が並列して多数設けられている。
先ず、養液栽培装置２を用いた苺の栽培について説明する。
【００１８】
パイプ材にて構成された高設架台３が、養液栽培ハウス1内に、作業者が栽培作業（苗に対する点検や防除や収穫等の各種作業）を行ないながら歩行できる間隔をあけて、複数列設けられている。
【００１９】
各高設架台３上には栽培部である発砲スチロールよりなる水耕ベッド４を載置し、該水耕ベッド４の凹部内に不織布よりなる水耕シートを敷き、その上に根切りシート（細かい目あいの樹脂製網状ネット）を敷いてその中に細粒状のロックウールよりなる栽培培地５を充填している。
【００２０】
そして、苺の苗は苺がなる方向が決まっているので、水耕ベッド４の栽培培地５に苺の苗を植えるときに、苺が水耕ベッド４の外側方に向けて実が生るように植える。そして、苗に養液を供給して栽培すると、苺は水耕ベッド４の左右両外側に垂れ下がるようにして実る。
【００２１】
このような養液栽培ハウス1を多数棟設けて、栽培施設が構成されている。
そして、多数棟ある養液栽培ハウス1のうちの少なくとも一つは、苺の養液栽培と苺苗の育苗との両方が行える構成となっている。
【００２２】
次に、苺の養液栽培と苺苗の育苗との両方が行える養液栽培装置２について、詳細に説明する。
先ず、隣接する２列の養液栽培装置２・２のパイプ材にて構成された高設架台３・３は、その各内側の支柱６…が高設架台３に水耕ベッド４を載置した高さよりも高くなるように長いものを用いている。そして、該内側の支柱６…に高設架台３の長手方向に沿ったガイド部材７を装着している。
【００２３】
ガイド部材７は、底面に支柱６が嵌まる大きさの穴９…を支柱６…が設けられているピッチで開けた市販の断面Ｃ型のリップ溝形鋼８と、リップ溝形鋼８…をその各穴９…が各支柱６…の上部に嵌め込んだ状態で高設架台３の長手方向に沿って複数個連続して設けて、各リップ溝形鋼８…をボルト１０・ナット１１にて締め付けて連結する左右ジョイントプレート１２・１２とにより構成されている。そして、左右ジョイントプレート１２・１２は、リップ溝形鋼８…の上面よりも少し突出して設けられており、リップ溝形鋼８…の上面と左右ジョイントプレート１２・１２によって後述のワイヤ１３のワイヤ案内部１４を構成している。一方、高設架台３の長さは６２ｍであるから、６ｍのリップ溝形鋼８を１０個と２ｍのリップ溝形鋼８を１個左右ジョイントプレート１２・１２で連結している。即ち、一つの高設架台３の長手方向に１０個の左右ジョイントプレート１２・１２があって、且つ、ガイド部材７の左右両側端部にも左右ジョイントプレート１２・１２を設けている。従って、ワイヤ案内部１４は、１２箇所形成される。尚、ワイヤ１３の直径は８ｍｍで、左右ジョイントプレート１２・１２のリップ溝形鋼８…の上面からの突出高さは５ｍｍにしており、ワイヤ１３の上部は左右ジョイントプレート１２・１２の上端から３ｍｍ出ている構成となっている。
【００２４】
１５は駆動側プーリ架台であって、左右隣接する養液栽培装置２・２（高設架台３・３）の一側に配置され、上面には左右隣接する養液栽培装置２・２の各内側の支柱６…に装着された左右ガイド部材７・７の側端部に接当させてボルト１６ａにて固定するガイド支持固定部１６・１６とワイヤ１３を案内するガイド部としての駆動側プーリ１７・１７が各々回転自在に装着された左右駆動側プーリユニット１８・１８が設けられている。尚、左右駆動側プーリユニット１８・１８は、駆動側プーリ架台１５上で養液栽培装置２（高設架台３）の長手方向（ロ方向）に移動調節自在に固定され、左右ワイヤ１３・１３を張ったり緩めたりできる構成としている。また、左右駆動側プーリユニット１８・１８の下側には、電動ウインチ１９とバッテリー２０が配置されている。
【００２５】
２１は従動側プーリ架台であって、左右隣接する養液栽培装置２・２（高設架台３・３）の他側に配置され、上面には左右隣接する養液栽培装置２・２の各内側の支柱６…に装着された左右ガイド部材７・７の側端部に接当させてボルト２２ａにて固定するガイド支持固定部２２・２２とワイヤ１３を案内するガイド部としての従動側プーリ２３・２３が各々回転自在に装着された左右従動側プーリユニット２４・２４が設けられている。尚、２５は円弧面を有するパイプ案内ガイドである。
【００２６】
上記の駆動側プーリ１７及び従動側プーリ２３は、上部をガイド部材７のワイヤ案内部１４に対向した位置に配置し、下部を支柱６を避けた位置に配置して、全体として傾斜した状態で回転できるように軸支されている。このように駆動側プーリ１７及び従動側プーリ２３を傾斜した状態で回転する構成とすることにより、ワイヤ１３はガイド部材７のワイヤ案内部１４上と支柱６を避けた位置とを通して回動移動自在に配置することができる。
【００２７】
２６はパイプ受け台車であって、後述のワイヤ１３にて移送される搬送パイプ２７を受け入れる台車である。
駆動側プーリ架台１５の左右駆動側プーリユニット１８・１８の左右駆動側プーリ１７・１７と従動側プーリ架台２１の左右従動側プーリユニット２４・２４の左右従動側プーリ２３・２３との間には各々左右ワイヤ１３・１３を巻き掛けて設け、左右ワイヤ１３・１３は各々前記左右ガイド部材７・７のワイヤ案内部１４内に配置され、左右駆動側プーリユニット１８・１８を駆動側プーリ架台１５上で養液栽培装置２（高設架台３）の長手方向（ロ方向）に移動調節して、張った状態にしている。
【００２８】
２８はワイヤ固定具であって、左右ワイヤ１３・１３を左右両側の固定部２９・２９で一体に連結するものである。即ち、固定部２９・２９内に左右ワイヤ１３・１３を嵌めて、締め付け具３０・３０にて締め付けると、左右ワイヤ１３・１３はワイヤ固定具２８にて一体に連結した状態となる。そして、ワイヤ固定具２８には、ワイヤフック３１が設けられており、前記電動ウインチ１９のウインチワイヤ３２の先端部に設けたフック３３を引っ掛ける構成となっている。
【００２９】
尚、電動ウインチ１９は、リモコンスイッチにてウインチ巻き取り作動と停止とが切替えれる構成となっている。また、上記のウインチワイヤ３２の先端部に設けたフック３３を設けた電動ウインチ１９とワイヤ固定具２８とで左右ワイヤ１３・１３を回動させる駆動機構Ａを構成している。
【００３０】
上記構成の養液栽培装置２が設置された養液栽培ハウス1にて苺苗の育苗を行なう場合の作業を説明する。
先ず、左右隣接する養液栽培装置２・２（高設架台３・３）の一側に駆動側プーリ架台１５を設置し、養液栽培装置２・２の各内側の支柱６…に装着された左右ガイド部材７・７の側端部にガイド支持固定部１６・１６を接当させてボルト１６ａにて固定する。次に、左右隣接する養液栽培装置２・２（高設架台３・３）の他側に従動側プーリ架台２１を配置し、養液栽培装置２・２の各内側の支柱６…に装着された左右ガイド部材７・７の側端部にガイド支持固定部２２・２２を接当させてボルト２２ａにて固定する。
【００３１】
そして、左右ガイド部材７・７のワイヤ案内部１４内に配設された左右ワイヤ１３・１３を駆動側プーリ架台１５の左右駆動側プーリユニット１８・１８の左右駆動側プーリ１７・１７と従動側プーリ架台２１の左右従動側プーリユニット２４・２４の左右従動側プーリ２３・２３との間に巻き掛けて、左右駆動側プーリユニット１８・１８を駆動側プーリ架台１５上で養液栽培装置２（高設架台３）の長手方向（ロ方向）に移動調節して、左右ワイヤ１３・１３を張った状態にする。
【００３２】
そして、従動側プーリ架台２１近くの左右ワイヤ１３・１３をワイヤ固定具２８の固定部２９・２９内に嵌めて、締め付け具３０・３０にて締め付け、左右ワイヤ１３・１３をワイヤ固定具２８にて一体に連結した状態とする。
【００３３】
そして、電動ウインチ１９のウインチワイヤ３２の先端部に設けたフック３３をワイヤ固定具２８のワイヤフック３１に引っ掛ける。
次に、作業者は、駆動側プーリ架台１５側で、縦横に育苗ポットＰ…を多数設けた育苗トレイＴの各育苗ポットＰ…内に細粒状のロックウールよりなる栽培培地を充填して苺苗を植えた育苗トレイＴを、２本の鉄製の搬送パイプ２７に育苗ポットＰ・Ｐが嵌まった状態で４個並べて、その状態のまま２本の搬送パイプ２７を左右ガイド部材７・７の左右ワイヤ１３・１３上に置く。尚、この２本の搬送パイプ２７が、４個の育苗トレイＴを支持するトレイ支持部材を構成している。
【００３４】
そして、作業者がリモコンスイッチにて電動ウインチ１９をウインチ巻き取り作動させると、ウインチワイヤ３２は巻き取られてワイヤ固定具２８はイ方向に移動するので、左右ワイヤ１３・１３もイ方向に回動する。すると、左右ワイヤ１３・１３上に置かれた２本の搬送パイプ２７もイ方向に移動する（２本の搬送パイプ２７に載置された４個の育苗トレイＴもイ方向に移動する）。そこで、次に育苗トレイＴを載置するスペースが開いた時にリモコンスイッチにて電動ウインチ１９を停止させて、同様にして、２本の搬送パイプ２７に育苗ポットＰ・Ｐが嵌まった状態で４個並べて、その状態のまま２本の搬送パイプ２７を左右ガイド部材７・７の左右ワイヤ１３・１３上に置く。この作業を繰り返して、左右ガイド部材７・７の上全面に育苗トレイＴが載置された状態とする。
【００３５】
このようにすると、左右隣接する養液栽培装置２・２（高設架台３・３）の左右ガイド部材７・７の一側端部にて、作業者は順次育苗トレイＴを左右ガイド部材７・７の上全面に載置する作業が、楽に然も効率よく且つ作業性良く行なえる。
【００３６】
そして、次の左右隣接する養液栽培装置２・２（高設架台３・３）の左右ガイド部材７・７に育苗トレイＴを載置するには、左右ワイヤ１３・１３からワイヤ固定具２８を外し、左右駆動側プーリユニット１８・１８を駆動側プーリ架台１５上で養液栽培装置２（高設架台３）の長手方向に移動調節して左右ワイヤ１３・１３を緩めて左右駆動側プーリ１７・１７と左右従動側プーリ２３・２３とから外し、ボルト１６ａを抜いて駆動側プーリ架台１５を次の左右隣接する養液栽培装置２・２（高設架台３・３）の左右ガイド部材７・７の一側に移動させて、再び、ボルト１６ａにて固定する。同様に、ボルト２２ａを抜いて従動側プーリ架台２１を次の左右隣接する養液栽培装置２・２（高設架台３・３）の左右ガイド部材７・７の他側に移動させて、再び、ボルト２２ａにて固定する。そして、上記と同様にして、左右ガイド部材７・７のワイヤ案内部１４内に配設された左右ワイヤ１３・１３を駆動側プーリ架台１５の左右駆動側プーリユニット１８・１８の左右駆動側プーリ１７・１７と従動側プーリ架台２１の左右従動側プーリユニット２４・２４の左右従動側プーリ２３・２３との間に巻き掛けて、左右駆動側プーリユニット１８・１８を駆動側プーリ架台１５上で養液栽培装置２（高設架台３）の長手方向（ロ方向）に移動調節して、左右ワイヤ１３・１３を張った状態にする。そして、従動側プーリ架台２１近くの左右ワイヤ１３・１３をワイヤ固定具２８の固定部２９・２９内に嵌めて、締め付け具３０・３０にて締め付け、左右ワイヤ１３・１３をワイヤ固定具２８にて一体に連結した状態とする。そして、電動ウインチ１９のウインチワイヤ３２の先端部に設けたフック３３をワイヤ固定具２８のワイヤフック３１に引っ掛ける。
【００３７】
そして、前記と同様にして作業者がリモコンスイッチにて電動ウインチ１９をウインチ巻き取り作動させながら、左右ガイド部材７・７の上全面に育苗トレイＴが載置された状態とする。
【００３８】
このようにして、養液栽培ハウス1内の全ての左右ガイド部材７・７上に育苗トレイＴを載置する。そして、育苗トレイＴの載置作業を終えると、駆動側プーリ架台１５及び従動側プーリ架台２１は外して別の場所に保管し、潅水作業や防除作業等を行って、育苗トレイＴの苺苗を育苗する。
【００３９】
この育苗作業時に、駆動側プーリ架台１５及び従動側プーリ架台２１を外した状態としているので、各種作業（潅水作業や防除作業等）が容易に行なえて作業性良く育苗が行える。
【００４０】
そして、育苗作業を終えて、苺苗が成育すると、今度は、養液栽培ハウス1内の左右ガイド部材７・７上から育苗トレイＴを取り出して、多数棟ある養液栽培ハウス1の各養液栽培装置２の水耕ベッド４に苺苗を植えて苺の栽培作業をする。
【００４１】
この時の、養液栽培ハウス1内の左右ガイド部材７・７上から育苗トレイＴを取り出す作業の説明をする。
駆動側プーリ架台１５及び従動側プーリ架台２１を左右隣接する養液栽培装置２・２（高設架台３・３）の左右ガイド部材７・７の両側に配置して、ボルト１６ａ・２２ａにて固定し、左右ガイド部材７・７のワイヤ案内部１４内に配設された左右ワイヤ１３・１３を駆動側プーリ架台１５の左右駆動側プーリユニット１８・１８の左右駆動側プーリ１７・１７と従動側プーリ架台２１の左右従動側プーリユニット２４・２４の左右従動側プーリ２３・２３との間に巻き掛けて、左右駆動側プーリユニット１８・１８を駆動側プーリ架台１５上で養液栽培装置２（高設架台３）の長手方向（ロ方向）に移動調節して、左右ワイヤ１３・１３を張った状態にする。そして、従動側プーリ架台２１近くの左右ワイヤ１３・１３をワイヤ固定具２８の固定部２９・２９内に嵌めて、締め付け具３０・３０にて締め付け、左右ワイヤ１３・１３をワイヤ固定具２８にて一体に連結した状態とする。そして、電動ウインチ１９のウインチワイヤ３２の先端部に設けたフック３３をワイヤ固定具２８のワイヤフック３１に引っ掛ける。
【００４２】
そして、従動側プーリ架台２１の外方にパイプ受け台車２６を配置する。
作業者は、従動側プーリ架台２１側で、一番外側の育苗トレイＴを取り出す（移動用台車等に載せる）。一番外側の４個の育苗トレイＴを取り終えると、作業者がリモコンスイッチにて電動ウインチ１９をウインチ巻き取り作動させると、ウインチワイヤ３２は巻き取られてワイヤ固定具２８はイ方向に移動するので、左右ワイヤ１３・１３もイ方向に回動する。すると、左右ワイヤ１３・１３上に置かれた２本の搬送パイプ２７もイ方向に移動する（２本の搬送パイプ２７に載置された４個の育苗トレイＴもイ方向に移動する）。そこで、次に取り出す育苗トレイＴが外側位置まで移動した時にリモコンスイッチにて電動ウインチ１９を停止させる（この時、一番外側の４個の育苗トレイＴを載せていた２本の搬送パイプ２７は、左右ワイヤ１３・１３の移動で左右ガイド部材７・７上から落下してパイプ案内ガイド２５の案内でパイプ受け台車２６内に自動的に収納される）。そして、作業者は一番外側の育苗トレイＴを取り出す。以下、同様にして、左右隣接する養液栽培装置２・２（高設架台３・３）の左右ガイド部材７・７の一側端部にて、作業者は順次育苗トレイＴを楽に然も効率よく且つ作業性良く取り出すことができる。
【００４３】
そして、次の左右隣接する養液栽培装置２・２（高設架台３・３）の左右ガイド部材７・７から育苗トレイＴを取り出すには、左右ワイヤ１３・１３からワイヤ固定具２８を外し、左右駆動側プーリユニット１８・１８を駆動側プーリ架台１５上で養液栽培装置２（高設架台３）の長手方向に移動調節して左右ワイヤ１３・１３を緩めて左右駆動側プーリ１７・１７と左右従動側プーリ２３・２３とから外し、ボルト１６ａを抜いて駆動側プーリ架台１５を次の左右隣接する養液栽培装置２・２（高設架台３・３）の左右ガイド部材７・７の一側に移動させて、再び、ボルト１６ａにて固定する。同様に、ボルト２２ａを抜いて従動側プーリ架台２１を次の左右隣接する養液栽培装置２・２（高設架台３・３）の左右ガイド部材７・７の他側に移動させて、再び、ボルト２２ａにて固定する。そして、上記と同様にして、左右ガイド部材７・７のワイヤ案内部１４内に配設された左右ワイヤ１３・１３を駆動側プーリ架台１５の左右駆動側プーリユニット１８・１８の左右駆動側プーリ１７・１７と従動側プーリ架台２１の左右従動側プーリユニット２４・２４の左右従動側プーリ２３・２３との間に巻き掛けて、左右駆動側プーリユニット１８・１８を駆動側プーリ架台１５上で養液栽培装置２（高設架台３）の長手方向（ロ方向）に移動調節して、左右ワイヤ１３・１３を張った状態にする。そして、従動側プーリ架台２１近くの左右ワイヤ１３・１３をワイヤ固定具２８の固定部２９・２９内に嵌めて、締め付け具３０・３０にて締め付け、左右ワイヤ１３・１３をワイヤ固定具２８にて一体に連結した状態とする。そして、電動ウインチ１９のウインチワイヤ３２の先端部に設けたフック３３をワイヤ固定具２８のワイヤフック３１に引っ掛ける。従動側プーリ架台２１の外方にパイプ受け台車２６を配置する。
【００４４】
そして、前記と同様にして作業者がリモコンスイッチにて電動ウインチ１９をウインチ巻き取り作動させながら、左右ガイド部材７・７上の育苗トレイＴを取り出す。
このようにして、養液栽培ハウス1内の全ての左右ガイド部材７・７上の育苗トレイＴを取り出し、駆動側プーリ架台１５及び従動側プーリ架台２１を外した状態として、この苺苗を育苗していた養液栽培ハウス1内の養液栽培装置２にも苺苗を植付けて苺の栽培作業をする。
【００４５】
尚、電動ウインチ１９の駆動の入り切りは、リモコンスイッチで行なう例を示したが、駆動側プーリ架台１５部及び従動側プーリ架台２１部に電動ウインチ１９の駆動の各々入り切りスイッチを設けても良い。
【図面の簡単な説明】
【００４６】
【図１】育苗トレイの載置作業を説明する栽培装置の作用説明用全体側面図である。
【図２】育苗トレイの載置作業を説明する栽培装置の作用説明用全体平面図である。
【図３】育苗トレイの取り出し作業を説明する栽培装置の作用説明用全体側面図である。
【図４】育苗トレイの取り出し作業を説明する栽培装置の作用説明用全体平面図である。
【図５】栽培装置の駆動側プーリ架台部の背面図である。
【図６】栽培装置の駆動側プーリ架台部の側面図である。
【図７】栽培装置の従動側プーリ架台部の背面図である。
【図８】栽培装置の従動側プーリ架台部の側面図である。
【図９】ガイド部材部の作用説明用拡大正面図である。
【図１０】ガイド部材部の作用説明用拡大側面図である。
【図１１】育苗トレイ搬送部の作用説明用拡大側面図である。
【図１２】ワイヤ固定具部の作用説明用拡大底面図である。
【図１３】ワイヤ固定具部の作用説明用拡大正面図である。
【図１４】養液栽培ハウスの全体平面図である。
【図１５】養液栽培ハウスで作物を栽培している作用説明用側面図である。
【符号の説明】
【００４７】
３  架台（高設架台）
４  栽培部（水耕ベッド）
７  ガイド部材
１３  ワイヤ
１４  ワイヤ案内部
１５  プーリ架台（駆動側プーリ架台）
１７  ガイド部（駆動側プーリ）
１９  電動ウインチ
２１  プーリ架台（従動側プーリ架台）
２３  ガイド部（従動側プーリ）
２７  トレイ支持部材（搬送パイプ）
２８  ワイヤ固定具
３２  ウインチワイヤ
Ａ  駆動機構
【図１】
2008237052.tif 000003
【図２】
2008237052.tif 000004
【図３】
2008237052.tif 000005
【図４】
2008237052.tif 000006
【図５】
2008237052.tif 000007
【図６】
2008237052.tif 000008
【図７】
2008237052.tif 000009
【図８】
2008237052.tif 000010
【図９】
2008237052.tif 000011
【図１０】
2008237052.tif 000012
【図１１】
2008237052.tif 000013
【図１２】
2008237052.tif 000014
【図１３】
2008237052.tif 000015
【図１４】
2008237052.tif 000016
【図１５】
2008237052.tif 000017